(57)【要約】      （修正有）【課題】平板型電子リーダーを、使用方向に合わせて支えることができる平板型電子リーダー用ケースを提供する。【解決手段】平板型電子リーダーの据え置きに用いられる第一カバー、第二カバー、及び第一カバーと第二カバーを結合する連接ユニットを含む。連接ユニットは第一カバーに枢接される第一端部、及び第二カバーに接合される第二端部を備える。第二カバーには凹陥部を備え、第一カバーには隣接するが共線しない第一縁及び第二縁が形成される。第一カバーを回すことによって選択的に第一縁または第二縁を前記凹陥部に嵌め付けることができ、それによって第一カバーは連接ユニットの支えを受け、かつある角度に現われて第二カバーの上に立てられる。【選択図】図１
0003164950.tif 000002
【実用新案登録請求の範囲】
【請求項１】
平板型電子リーダーを据え置くのに用いられる第一カバー、第二カバー、及び前記第一カバーと第二カバーを結合する連接ユニットを含み、前記連接ユニットは第一カバーに枢接される第一端部、及び第二カバーに接合される第二端部を備え、前記第一カバーは第一端部によって連接ユニットに相対して回転することができ、前記第二カバーは第二端部によって連接ユニットに相対して折り曲げることができ、前記第二カバーは凹陥部を備え、前記第一カバーには隣接するが共線しない第一縁及び第二縁が形成され、第一カバーを回すことによって選択的に第一縁または第二縁を前記凹陥部に嵌め付けることができ、それによって第一カバーは連接ユニットの支えを受け、かつある角度を持って第二カバーの上に立てられることを特徴とする平板型電子リーダー用ケース。
【請求項２】
前記第二カバーは更に複数の凹陥部が設けられ、前記第一カバーの第一縁または第二縁は選択可能にその中の一つの凹陥部内に嵌め付けられ、それによって第一カバーが第二カバーに相対する角度を調整することを特徴とする請求項１記載の平板型電子リーダー用ケース。
【請求項３】
前記凹陥部は凹溝であることを特徴とする請求項１または２記載の平板型電子リーダー用ケース。
【請求項４】
前記第一カバーには平板型電子リーダーを定位するのに用いられる複数の結合部が設けられてあることを特徴とする請求項１記載の平板型電子リーダー用ケース。
【考案の詳細な説明】
【技術分野】
【０００１】
本考案は平板型電子リーダー（reader）のケースに関するもので、特に回転可能なカバーが平板型電子リーダーを支えて使用状態にさせるケースを関するものである。
【背景技術】
【０００２】
近年、ポータブル電子装置の発展は極めて迅速であり、例えば携帯電話、ノートブック型コンピュータ、平板型コンピュータまたは平板型電子リーダー（電子書籍リーダーや電子辞書）等の製品は種類が相当に多様化されている。平板型電子リーダーを例にすれば、そのインターフェースの主要は大面積のタッチ制御式スクリーンであるので、使わないときには不当な外力によってタッチ制御式スクリーンが損害されないよう、一般は製品の外部に保護用ケースが取り付けられる。このほか、これら保護用ケースには支えの機能が備えられ、利用者の閲覧を便利にするために平板型電子リーダーを卓面に一定の傾斜角度に支えて立てられるが、市販されている支え機能を備えたケースは平板型電子リーダーに合わして縦方向または横方向に変えられる設計ではなく、それらの支え機能は固定された一方向にしか使用できないので、操作上はあまり理想でなく、更に進んだ改善が求められている。
【考案の概要】
【考案が解決しようとする課題】
【０００３】
従って、本考案の目的は平板型電子リーダーの保護及び支え機能を兼ね備え、それと同時に支え時には平板型電子リーダーの使用方向に合わせて支えることのできるケースを提供することである。
【課題を解決するための手段】
【０００４】
そこで、本考案による平板型電子リーダー用ケースは、平板型電子リーダーの据え置きに用いられる第一カバー、第二カバー、及び前記第一カバーと第二カバーを結合する連接ユニットを含む。連接ユニットは第一カバーに枢接される第一端部、及び第二カバーに接合される第二端部を備える。第一カバーは第一端部によって連接ユニットに相対して回転することができ、第二カバーは第二端部によって連接ユニットに相対して折り曲げることができる。第二カバーは凹陥部を備えている。第一カバーには隣接するが共線しない第一縁及び第二縁が形成され、第一カバーを回すことによって選択的に第一縁または第二縁を前記凹陥部に嵌め付けることができ、それによって第一カバーは連接ユニットの支えを受け、かつ所望の角度でもって第二カバーの上に立てられる。
【図面の簡単な説明】
【０００５】
【図１】本考案の実施例による平板型電子リーダー用ケースの主要部分の分解意表図である。
【図２】本発明の実施例による平板型電子リーダー用ケースの外観意表図である。
【図３】本発明の実施例による平板型電子リーダー用ケースの応用意表図である。
【図４】図３の別の角度から見た外観意表図である。
【図５】本発明の実施例による平板型電子リーダー用ケースの応用意表図である。
【図６】図５の別の角度から見た外観意表図である。
【考案を実施するための形態】
【０００６】
本考案の前述及び其の他技術内容、特徴と機能について、以下図面を参照して詳細に説明にします。
【０００７】
図１及び図２に示すように、本考案の平板型電子リーダー用ケースは第一カバー１、第二カバー２、及び第一カバー１と第二カバー２を結合する連接ユニット３を含む。
【０００８】
第一カバー１は平板型電子リーダー４の面積や寸法に合わせて適当な大きさに形成され、かつ縁の箇所に平板型電子リーダー４を定位するのに用いられる複数の結合部１１が設けられる。結合部１１の構造自体は本考案の要部でないので、図面に示される方式に限らず、実際のニーズに応じて各種の異なった結合部１１に設計することができる。平板型電子リーダー４と第一カバー１は互いに固定される。一般の平板型電子リーダー４は概して矩形に作られるので、第一カバー１には相互に隣接するが共線しない第一縁１０１及び第二縁１０２が形成される。本実施例に於いて、第一縁１０１は短縁であり、第二縁１０２は長縁であるが、もし平板型電子リーダー４が正方形または其の他適当な形状である場合、第一縁１０１及び第二縁１０２の長さはそれに伴って変更される。
【０００９】
第二カバー２は第一カバー１の大きさに対応し、平板型電子リーダー４を収納した状態に於いて、それは平板型電子リーダー４の別の一面を覆って保護作用を行うように形成される。第二カバー２の内側表面には凹陥部２１を備える。本実施例に於いて凹陥部２１は直線状の凹溝であり、凹陥部２１は複数でもよく、図示の場合、互いに平行する複数の凹溝であり、その作用については後で説明する。
【００１０】
連接ユニット３には第一端部３１及び第二端部３２を備え、第一端部３１は回しボタンを鋲付けする方式をもって第一カバー１との枢接構造を形成し、第二端部３２は折り曲げ可能の縁をもって第二カバー２と接合し、これによって第一カバー１は第一端部３１の枢接構造を経て連接ユニットに相対して回すことができ、第二カバー２は第二端部３２によって連接ユニット３に相対して折り曲げることができる。
【００１１】
図３及び図４に示すように、使用状態に於いて、平板型電子リーダー４を縦方向の形態に置いて閲覧する場合、第一カバー１を回して第一縁１０１が下向きになる方式を選択して凹陥部２１内に嵌め付ける。この場合、第一カバー１は連接ユニット３の支えを受け、かつある傾斜角度を持って第二カバー２の上に立つ。このほか、第一カバー１の第一縁１０１が違う凹陥部２１を選んで嵌め付けを行った場合、これによって第一カバー１が第二カバー２に相対する傾斜角度を調整することができる。
【００１２】
図５及び図６に示すように、平板型電子リーダー４を横方向の形態に置いて閲覧する場合、第一カバー１を回して第二縁１０２が下向きになる方式を選択して凹陥部２１内に嵌め付ける。この場合、第一カバー１は連接ユニット３の支えを受け、かつある傾斜角度を持って第二カバー２の上に立つ。縦方向の場合と同様に、第一カバー１の第二縁１０２が違う凹陥部２１を選んで嵌め付けを行った場合、これによって第一カバー１が第二カバー２に相対する傾斜角度を調整することができる。
【００１３】
上述設計により、本考案は平板型電子リーダー４の縦方向または横方向の閲覧状態に合わせてその支え状態を調整することができ、尚且つ使用されないときには保護作用を備え、使用の便利の目的が達成される。
【００１４】
以上に述べたのは本考案の最適な実施例だけであり、それは本考案の実施範囲を制限するものではなく、およそ本考案の登録請求の範囲及び説明内容に基づいて行われる簡単な同等効果の変化と改修は、すべて本考案の範囲に属すべきものである。
【符号の説明】
【００１５】
１    第一カバー
１０１    第一縁
１０２    第二縁
１１    結合部
２    第二カバー
２１    凹陥部
３    連接ユニット
３１    第一端部
３２    第二端部
４    平板型電子リーダー
【図１】
0003164950.tif 000003
【図２】
0003164950.tif 000004
【図３】
0003164950.tif 000005
【図４】
0003164950.tif 000006
【図５】
0003164950.tif 000007
【図６】
0003164950.tif 000008